Podtech/llm-jp-corpus-v4-ja_patent huggingface dataset:
【手続補正書】
【提出日】平成27年4月30日(2015.4.30)
【手続補正１】
【補正対象書類名】特許請求の範囲
【補正対象項目名】全文
【補正方法】変更
【補正の内容】
【特許請求の範囲】
【請求項１】
第１圧力および第１温度でリグノセルロース系バイオマスを提供する工程であって、前記リグノセルロース系バイオマスが：
不溶性リグニン；
を含む第１固体画分；
可溶性Ｃ６サッカリド；
可溶性リグニン；
を含む第１液体画分；
を含む、工程と、
前記第１圧力下にて、前記リグノセルロース系バイオマスの前記第１温度を、リグニンのガラス転移温度を少なくとも約１℃超える第２温度に下げる工程と、
前記第２温度での前記リグノセルロース系バイオマスの前記第１圧力を、約１秒未満の時間で第２圧力に下げ、前記第１液体画分中の前記可溶性リグニンを沈殿させ、かつ
不溶性リグニン；
沈殿リグニン；
を含む第２固体画分；
可溶性Ｃ６サッカリド；
を含む第２液体画分；
を含む混合物が形成される工程と、
を含むことを特徴とする、リグノセルロース系バイオマスからリグニンを製造する方法。
【請求項２】
請求項１に記載の方法において、連続的であることを特徴とする、方法。
【請求項３】
請求項１に記載の方法において、前記混合物の温度を下げることをさらに含むことを特徴とする、方法。
【請求項４】
請求項１に記載の方法において、重力によって、前記不溶性リグニンおよび前記沈殿リグニンを分離させることをさらに含むことを特徴とする、方法。
【請求項５】
請求項１に記載の方法において、前記第２固体画分と前記第２液体画分を分離することをさらに含むことを特徴とする、方法。
【請求項６】
請求項１に記載の方法において、前記第２圧力が気圧を超えることを特徴とする、方法。
【請求項７】
請求項６に記載の方法において、前記第２圧力を気圧に下げることをさらに含むことを特徴とする、方法。
【請求項８】
請求項１に記載の方法において、前記第２圧力が気圧であることを特徴とする、方法。
【請求項９】
請求項１に記載の方法において、少なくとも１つの熱交換器を使用して、熱を回収することをさらに含むことを特徴とする、方法。
【請求項１０】
請求項１に記載の方法において、前記提供工程前に、前記リグノセルロース系バイオマスを分画して、Ｃ５サッカリドの少なくとも一部を除去することを特徴とする、方法。
【請求項１１】
請求項１０に記載の方法において、前記分画する工程は、熱水処理を含むことを特徴とする、方法。
【請求項１２】
請求項１１に記載の方法において、前記熱水処理は、圧縮熱水、亜臨界水、近臨界水、または超臨界水を含むことを特徴とする、方法。
【請求項１３】
請求項１に記載の方法において、前記不溶性リグニンおよび沈殿リグニンの平均粒径が約５００ミクロン未満であることを特徴とする、方法。
【請求項１４】
請求項１に記載の方法において、前記第１液体画分が水を含むことを特徴とする、方法。
【請求項１５】
請求項１に記載の方法において、前記第１温度は約２８０℃から約３７５℃であることを特徴とする、方法。
【手続補正書】
【提出日】平成27年3月26日(2015.3.26)
【手続補正１】
【補正対象書類名】明細書
【補正対象項目名】０１２７
【補正方法】変更
【補正の内容】
【０１２７】
【表３】
2014516094.tif 000001
以下に、本願発明に関連する発明の実施形態につき列挙する。
［実施形態１］
重合性樹脂組成物の反応生成物を含有する重合ミクロ構造化表面を含む光学フィルムであって、前記重合性樹脂組成物が
ナノ粒子と、
少なくとも２個の（メタ）アクリレート基を含む、少なくとも１種の第１のモノマーと、
構造式
【化１３】
2014516094.tif 000002
（式中、少なくとも１つのＲ１が芳香族置換基を含み、
ｔが、１〜４の整数であり、
Ｒ２は水素又はメチルである）を有する、少なくとも１種の第２の（メタ）アクリレートモノマーと、
を含有する、光学フィルム。
［実施形態２］
式中ｔが１である、実施形態１に記載の光学フィルム。
［実施形態３］
式中Ｒ１が、
【化１４】
2014516094.tif 000003
を含む群から選択される、実施形態１又は２に記載の光学フィルム。
［実施形態４］
前記モノマーが少なくとも１．５４の屈折率を有する、実施形態１〜３のいずれか一項に記載の光学フィルム。
［実施形態５］
前記モノマーの２５℃における粘度が１００ｃｐｓ未満、又は７５ｃｐｓ未満、又は５０ｃｐｓ未満、又は２５ｃｐｓ未満である、実施形態１〜４のいずれか一項に記載の光学フィルム。
［実施形態６］
前記第１のモノマーが少なくとも２つの芳香族環を含有する、実施形態１に記載の光学フィルム。
［実施形態７］
前記第１のモノマーがビスフェノール、フルオレン又はビフェニル（メタ）アクリレートモノマーである、実施形態６に記載の光学フィルム。
［実施形態８］
前記重合性樹脂が、前記少なくとも２個の（メタ）アクリレート基を含む第１のモノマーの１種又は２種以上を、最大１５重量％まで含有する、実施形態１〜７のいずれか一項に記載の光学フィルム。
［実施形態９］
前記少なくとも２個の（メタ）アクリレート基を含む第１のモノマーが、少なくとも３５０ｇ／ｍｏｌの分子量を有する、実施形態１〜８のいずれか一項に記載の光学フィルム。
［実施形態１０］
前記重合性樹脂組成物が非ハロゲン化物である、実施形態１に記載の光学フィルム。
［実施形態１１］
前記ナノ粒子が、少なくとも１．６０の屈折率を有する、実施形態１に記載の光学フィルム。
［実施形態１２］
前記ナノ粒子がジルコニアを含む、実施形態１１に記載の光学フィルム。
［実施形態１３］
前記重合性樹脂が少なくとも４０重量％のナノ粒子を含有する、実施形態１１又は１２に記載の光学フィルム。
［実施形態１４］
前記光学フィルムが輝度向上フィルムである、実施形態１に記載の光学フィルム。
［実施形態１５］
前記輝度向上フィルムが少なくとも１．７５の単一シート相対ゲイン値を有する、実施形態１４に記載の光学フィルム。
［実施形態１６］
重合性樹脂組成物の反応生成物を含む重合表面を有する光学フィルムであって、前記重合性樹脂組成物が
ナノ粒子と、
少なくとも２個の（メタ）アクリレート基を含む、少なくとも１種の第１モノマーと、
構造式
【化１５】
2014516094.tif 000004
（式中、少なくとも１つのＲ１が、芳香族置換基を含み、
ｔが、１〜４の整数であり、
Ｒ２が、水素又はメチルである）を有する、少なくとも１種の第２の（メタ）アクリレートモノマーと、
を含有する、光学フィルム。
［実施形態１７］
前記重合性樹脂組成物が、更に実施形態２〜１３のいずれか１項又は組み合わせにより記述される、実施形態１６に記載の光学フィルム。
［実施形態１８］
重合性樹脂組成物であって、
ナノ粒子と、
少なくとも２個の（メタ）アクリレート基を含む、少なくとも１種の第１のモノマーと、
構造式
【化１６】
2014516094.tif 000005
（式中、少なくとも１つのＲ１は芳香族置換基を含み、
ｔが、１〜４の整数であり、
Ｒ２は水素又はメチルである）を有する、少なくとも１種の第２の（メタ）アクリレートモノマーと、
を含有する、重合性樹脂組成物。
［実施形態１９］
重合性樹脂組成物が、更に実施形態２〜１３に記載のいずれか１項又は組み合わせにより記述される、実施形態１８に記載の重合性樹脂組成物。
【手続補正２】
【補正対象書類名】特許請求の範囲
【補正対象項目名】全文
【補正方法】変更
【補正の内容】
【特許請求の範囲】
【請求項１】
重合性樹脂組成物の反応生成物を含有する重合ミクロ構造化表面を含む光学フィルムであって、前記重合性樹脂組成物が
ナノ粒子と、
少なくとも２個の（メタ）アクリレート基を含む、少なくとも１種の第１のモノマーと、
構造式
【化１】
2014516094.tif 000006
（式中、少なくとも１つのＲ１が芳香族置換基を含み、
ｔが、１〜４の整数であり、
Ｒ２は水素又はメチルである）を有する、少なくとも１種の第２の（メタ）アクリレートモノマーと、
を含有する、光学フィルム。
【請求項２】
式中ｔが１である、請求項１に記載の光学フィルム。
【請求項３】
式中Ｒ１が、
【化２】
2014516094.tif 000007
を含む群から選択される、請求項１又は２に記載の光学フィルム。
【請求項４】
前記モノマーが少なくとも１．５４の屈折率を有する、請求項１〜３のいずれか一項に記載の光学フィルム。
【請求項５】
前記モノマーの２５℃における粘度が１００ｃｐｓ未満、又は７５ｃｐｓ未満、又は５０ｃｐｓ未満、又は２５ｃｐｓ未満である、請求項１〜４のいずれか一項に記載の光学フィルム。
【請求項６】
前記第１のモノマーが少なくとも２つの芳香族環を含有する、請求項１に記載の光学フィルム。
【請求項７】
前記第１のモノマーがビスフェノール、フルオレン又はビフェニル（メタ）アクリレートモノマーである、請求項６に記載の光学フィルム。
【請求項８】
重合性樹脂組成物の反応生成物を含む重合表面を有する光学フィルムであって、前記重合性樹脂組成物が
ナノ粒子と、
少なくとも２個の（メタ）アクリレート基を含む、少なくとも１種の第１モノマーと、
構造式
【化３】
2014516094.tif 000008
（式中、少なくとも１つのＲ１が、芳香族置換基を含み、
ｔが、１〜４の整数であり、
Ｒ２が、水素又はメチルである）を有する、少なくとも１種の第２の（メタ）アクリレートモノマーと、
を含有する、光学フィルム。
【請求項９】
重合性樹脂組成物であって、
ナノ粒子と、
少なくとも２個の（メタ）アクリレート基を含む、少なくとも１種の第１のモノマーと、
構造式
【化４】
2014516094.tif 000009
（式中、少なくとも１つのＲ１は芳香族置換基を含み、
ｔが、１〜４の整数であり、
Ｒ２は水素又はメチルである）を有する、少なくとも１種の第２の（メタ）アクリレートモノマーと、
を含有する、重合性樹脂組成物。
【手続補正書】
【提出日】平成27年5月19日(2015.5.19)
【手続補正１】
【補正対象書類名】特許請求の範囲
【補正対象項目名】全文
【補正方法】変更
【補正の内容】
【特許請求の範囲】
【請求項１】
機体を有する飛翔発電機において、上記機体は、中央集中型のハウジングと、上記ハウジングから前方かつ横方向外側に伸びて外側端部を具備する、１対以上の第１対のブームアームと、上記１対以上の第１対のブームアームの上記外側端部に沿って取り付けられる、１対以上の第１対の反対回転第１ロータと、上記ハウジングから後方かつ横方向外側に伸びて外側端部を具備する、１対以上の第２対のブームアームと、上記１対以上の第２対のブームアームの上記外側端部に沿って取り付けられる、１対以上の第１対の反対回転第２ロータとを含み、上記１対以上の第１対の反対回転第１ロータおよび上記１対以上の第１対の反対回転第２ロータの各々は、上記１対以上の第１対の反対回転第１ロータが風の中を進むときに、上記飛翔発電機のアタック角またはピッチ角にかかわらず、上記１対以上の第１対の反対回転第１ロータおよび上記１対以上の第１対の反対回転第２ロータの各々が風の乱されない流れへの直接路を受けるべく位置決めされるように、上記機体に取り付けられ、上記ハウジングは上記飛翔発電機の重心を形成することを特徴とする飛翔発電機。
【請求項２】
上記１対以上の第１対の反対回転第１ロータが相互に近接的な離間関係であり、上記１対以上の第１対の反対回転第２ロータが、上記機体の上記ハウジングの中心に関連して、上記第１対の反対回転第１ロータの横方向外側に配置されるように取り付けられる請求項１記載の飛翔発電機。
【請求項３】
上記１対以上の第１対のブームアームの長さは、上記１対以上の第２対のブームアームより短い請求項１または２のいずれかに記載の飛翔発電機。
【請求項４】
上記１対以上の第１のブームアームは少なくともおよそ９０°の第１の角度で相互に離間され、上記１対以上の第２対のブームアームの間の角度は上記第１の角度より大きい請求項３記載の飛翔発電機。
【請求項５】
上記機体から前方に伸びるように取り付けられる偶数個のロータと、上記機体から後方に伸びるように取り付けられる同一の偶数個のロータとを含み、中央の１対の前方反対回転のロータが、中央の１対の上記後方の反対回転のロータより接近して離間関係で取り付けられ、上記中央の１対の上記後方の反対回転のロータは上記機体の中心に関して上記中央の１対の前方反対回転ロータの横方向の外側に位置づけられるように取り付ける請求項１記載の飛翔発電機。
【請求項６】
上記機体の前方および後方にそれぞれ伸びる上記１対以上の第１対のブームアームおよび上記１対以上の第２対のブームアームの端部に取り付けられた個別の電気モータに駆動可能に結合される上記１対以上の第１対の反対回転第１ロータおよび上記１対以上の第１対の反対回転第２ロータの各々と、上記モータの各々に電気的に結合される個別のモータコントローラと、上記１対以上の第１対のブームアームおよび上記１対以上の第２対のブームアームの各々の端部に取り付けられるピッチ制御組立体とを有し、各ピッチ制御組立体は、それぞれの上記ブームアームに取り付けられるモータに対して駆動しまたは駆動される関係で連結されるロータブレード駆動シャフトに対して回転するスリーブの回りに回転するように固定されるピッチ制御リングへと結合される第１のリンクシステムを駆動するためのサーボモータと、上記スリーブおよび一対のロータブレードのピッチホーンの間に結合される第２のリンクシステムとを含む、上記第１のリンクシステムにおける変化に応答して上記ピッチ制御リングが垂直に移動すると、上記第２のリンクシステムを通じて、上記スリーブが垂直に変位して上記ロータブレードのピッチが変化する請求項５記載の飛翔発電機。
【請求項７】
上記ブームアームの各々は、筒状構造、および、上記機体の上記ハウジングと結合される上記ブームアームの各々の内側端部を強化するための手段として形成される請求項１記載の飛翔発電機。
【請求項８】
上記１対以上の第１対のブームアームおよび上記１対以上の第２対のブームアームの端部に取り付けられた電気モータに駆動可能に結合される上記第１および第２のロータの各々と、上記モータの各々に電気的に結合される個別のモータコントローラと、上記１対以上の第１対のブームアームおよび上記１対以上の第２対のブームアームの各々の端部に取り付けられるピッチ制御組立体とを有し、各ピッチ制御組立体は、それぞれの上記ブームアームに取り付けられるモータに対して駆動しまたは駆動される関係で連結されるロータブレード駆動シャフトに対して回転するスリーブの回りに回転するように固定されるピッチ制御リングへと結合される第１のリンクシステムを駆動するためのサーボモータと、上記スリーブおよび一対のロータブレードのピッチホーンの間に結合される第２のリンクシステムとを含む、上記第１のリンクシステムにおける変化に応答して上記ピッチ制御リングが垂直に移動すると、上記第２のリンクシステムを通じて、上記スリーブが垂直に変位して上記ロータブレードのピッチが変化する請求項１記載の飛翔発電機。
【手続補正書】
【提出日】平成27年5月12日(2015.5.12)
【手続補正１】
【補正対象書類名】特許請求の範囲
【補正対象項目名】全文
【補正方法】変更
【補正の内容】
【特許請求の範囲】
【請求項１】
椎間板変性症の患者の椎間板の細胞充実性及び構造を改善するための薬剤の製造における、臍帯組織由来細胞の均質な単離集団と、ヒドロゲルと、の使用であって、前記細胞の均質な単離集団は、血液をほぼ含まないヒト臍帯組織から得られ、培養時に自己再生能及び増殖能を示し、分化能を有し、かつＣＤ１１７又はテロメラーゼを発現しない、使用。
【請求項２】
前記臍帯組織由来細胞の均質な単離集団が、次の特性、
（ａ）レチクロン、ケモカイン受容体リガンド３及び／又は顆粒球走化性タンパク質を発現する、
（ｂ）ＣＤ３１、ＣＤ３４及びＨＬＡ−ＤＲを産生しない、
（ｃ）ヒト線維芽細胞、間葉系幹細胞又は腸骨稜骨髄細胞と比較して、酸化型インターロイキン８及びレチクロン１の発現レベルが増加している、
（ｄ）ＣＤ１０、ＣＤ１３、ＣＤ４４、ＣＤ７３及びＣＤ９０を発現する、のうちの１つ又は２つ以上を有する、請求項１に記載の使用。
【請求項３】
前記臍帯組織由来細胞の均質な単離集団及び前記ヒドロゲルが、注入により投与されるように処方される、請求項１又は２に記載の使用。
【請求項４】
前記薬剤が、少なくとも１つのその他の細胞型及び／又は少なくとも１つの剤を更に含む、請求項１〜３のいずれか１項に記載の使用。
【請求項５】
前記少なくとも１つの剤が、栄養因子である、請求項４に記載の使用。
【請求項６】
前記栄養因子が、ＴＧＦ−β、ＧＤＦ−５、ＰＤＧＦ−ＢＢ、及びＴＩＭＰ１からなる群から選択される、請求項５に記載の使用。
【請求項７】
前記少なくとも１つのその他の細胞型が、少なくとも１つの外来性遺伝子産物を発現するよう遺伝子操作される、請求項４に記載の使用。
【請求項８】
前記外来性遺伝子産物が、栄養因子である、請求項７に記載の使用。
【請求項９】
前記外来性遺伝子産物が、１つ又は２つ以上の細胞外マトリックスタンパク質の発現を調節する、請求項８に記載の使用。
【請求項１０】
前記臍帯組織由来細胞の均質な単離集団及び前記ヒドロゲルが、変性した椎間板に投与されるように処方される、請求項１〜４のいずれか１項に記載の使用。
【請求項１１】
前記臍帯組織由来細胞の均質な単離集団及び前記ヒドロゲルが、前記椎間板の髄核又は線維輪に投与されるように処方される、請求項１０に記載の使用。
【請求項１２】
前記細胞の均質な単離集団が、埋め込み型装置内に投与される、請求項１１に記載の使用。
【請求項１３】
前記使用が、前記臍帯組織由来細胞の均質な単離集団がインビトロで少なくとも部分的に分化するのを誘導することを更に含む、請求項１〜４のいずれか１項に記載の使用。
【請求項１４】
前記臍帯組織由来細胞の均質な単離集団が、線維輪細胞の表現型を提示する細胞へと分化するよう誘導される、請求項１３に記載の使用。
【請求項１５】
前記臍帯組織由来細胞の均質な単離集団が、髄核細胞の表現型を提示する細胞へと分化するよう誘導される、請求項１３に記載の使用。
【請求項１６】
前記ヒドロゲルが、フィブリノゲン及びトロンビンを含む、請求項１〜１５のいずれか１項に記載の使用。
【請求項１７】
前記ヒドロゲルが、フィブリン糊を含む、請求項１〜１５のいずれか１項に記載の使用。
【請求項１８】
椎間板変性症に関連する疾患又は状態を処置するための薬剤の製造における、ヒドロゲルの使用。
【請求項１９】
前記ヒドロゲルが、フィブリノゲン及びトロンビンを含む、請求項１８に記載の使用。
【請求項２０】
前記ヒドロゲルが、フィブリン糊を含む、請求項１８に記載の使用。
【手続補正書】
【提出日】平成27年5月14日(2015.5.14)
【手続補正１】
【補正対象書類名】特許請求の範囲
【補正対象項目名】全文
【補正方法】変更
【補正の内容】
【特許請求の範囲】
【請求項１】
哺乳類における粘膜炎の治療に使用するための、式ＩＩＩの化合物：
【化１】
2014516033.tif 000001
［式中、
Ａはそれぞれ、独立して、−Ｃ＝Ｏ、−Ｃ＝Ｓ、またはＣＨ２であり、
Ｄはそれぞれ、独立して、ＯまたはＳであり、
Ｒ１はそれぞれ、独立して、水素、Ｃ１−３アルキル、Ｃ１−３アルコキシ、ハロ、またはハロＣ１−３アルキルであり、
Ｒ２はそれぞれ、独立して、水素、Ｃ１−３アルキル、Ｃ１−３アルコキシ、ハロ、またはハロＣ１−３アルキルであり、
Ｒ３はそれぞれ、独立して、水素、Ｃ１−４アルキル、Ｃ１−４アルコキシ、ハロ、またはハロＣ１−４アルキルであり、
Ｒ４はそれぞれ、独立して、水素、Ｃ１−３アルキル、Ｃ１−３アルコキシ、ハロ、またはハロＣ１−３アルキルである］
または、その薬剤的に許容される塩を含む、医薬。
【請求項２】
少なくとも一つのＡが−Ｃ＝Ｏである、請求項１に記載の医薬。
【請求項３】
少なくとも一つのＤがＯである、請求項１に記載の医薬。
【請求項４】
Ｒ１がそれぞれ、独立して、水素、メチル、メトキシ、ハロ、またはハロＣ１−３アルキルである、請求項１に記載の医薬。
【請求項５】
少なくとも一つのＲ１が水素である、請求項１に記載の医薬。
【請求項６】
Ｒ２がそれぞれ、独立して、水素、メチル、メトキシ、またはハロである、請求項１に記載の医薬。
【請求項７】
少なくとも一つのＲ２が水素である、請求項１に記載の医薬。
【請求項８】
Ｒ３がそれぞれ、独立して、メチル、メトキシ、ハロ、またはハロＣ１−３アルキルである、請求項１に記載の医薬。
【請求項９】
Ｒ３がそれぞれ、独立して、ハロＣ１−３アルキルである、請求項１に記載の医薬。
【請求項１０】
少なくとも一つのＲ３がトリフルオロメチルである、請求項１に記載の医薬。
【請求項１１】
Ｒ４がそれぞれ、独立して、水素、メチル、メトキシ、ハロ、またはハロＣ１−３アルキルである、請求項１に記載の医薬。
【請求項１２】
Ｒ４がそれぞれ、独立して、水素、メチル、メトキシ、またはハロである、請求項１に記載の医薬。
【請求項１３】
少なくとも一つのＲ４が水素である、請求項１に記載の医薬。
【請求項１４】
Ａがそれぞれ、独立して、−Ｃ＝Ｏ、または−Ｃ＝Ｓであり、
Ｄがそれぞれ、独立して、ＯまたはＳであり、
Ｒ１がそれぞれ、独立して、水素、メチル、メトキシ、ハロ、またはハロメチルであり、
Ｒ２がそれぞれ、独立して、水素、ハロ、またはハロメチルであり、
Ｒ３がそれぞれ、独立して、メチル、エチル、メトキシ、エトキシ、ハロ、ハロメチル、またはハロエチルであり、
Ｒ４がそれぞれ、独立して、水素、メチル、エチル、メトキシ、エトキシ、ハロ、ハロメチル、またはハロエチルである、
請求項１に記載の医薬。
【請求項１５】
Ａがそれぞれ、−Ｃ＝Ｏであり、
Ｄがそれぞれ、Ｏであり、
Ｒ１がそれぞれ、独立して、水素、ハロ、またはハロメチルであり、
Ｒ２がそれぞれ、独立して、水素、またはハロであり、
Ｒ３がそれぞれ、独立して、メチル、メトキシ、ハロ、またはハロメチルであり、
Ｒ４がそれぞれ、独立して、水素、メチル、メトキシ、ハロ、またはハロメチルである、
請求項１に記載の医薬。
【請求項１６】
Ａがそれぞれ、−Ｃ＝Ｏであり、
Ｄがそれぞれ、Ｏであり、
Ｒ１がそれぞれ、独立して、水素、またはハロであり、
Ｒ２がそれぞれ、独立して、水素、またはハロであり、
Ｒ３がそれぞれ、独立して、メチル、ハロ、またはハロメチルであり、
Ｒ４がそれぞれ、独立して、水素、メチル、ハロ、またはハロメチルである、
請求項１に記載の医薬。
【請求項１７】
Ａがそれぞれ、−Ｃ＝Ｏであり、
Ｄがそれぞれ、Ｏであり、
Ｒ１がそれぞれ、独立して、水素、またはハロであり、
Ｒ２がそれぞれ、独立して、水素、またはハロであり、
Ｒ３がそれぞれ、独立して、メチル、ハロ、またはハロメチルであり、
Ｒ４がそれぞれ、独立して、水素、メチル、ハロ、またはハロメチルである、
請求項１に記載の医薬。
【請求項１８】
Ａがそれぞれ、−Ｃ＝Ｏであり、
Ｄがそれぞれ、Ｏであり、
Ｒ１がそれぞれ、独立して、水素、またはハロであり、
Ｒ２がそれぞれ、独立して、水素、またはハロであり、
Ｒ３がそれぞれ、独立して、ハロ、またはハロメチルであり、
Ｒ４がそれぞれ、独立して、水素、ハロ、またはハロメチルである、
請求項１に記載の医薬。
【請求項１９】
式ＩＩＩの化合物が以下の化合物：
【化２】
2014516033.tif 000002
または、その薬剤的に許容される塩である、請求項１に記載の医薬。
【請求項２０】
哺乳類がヒトである、請求項１に記載の医薬。
【請求項２１】
さらにパリフェルミンを含む、請求項１に記載の医薬。
【請求項２２】
以下の化合物：
【化３】
2014516033.tif 000003
または、その薬剤的に許容される塩、及びパリフェルミンを含む、組成物。
【手続補正書】
【提出日】平成27年4月22日(2015.4.22)
【手続補正１】
【補正対象書類名】特許請求の範囲
【補正対象項目名】全文
【補正方法】変更
【補正の内容】
【特許請求の範囲】
【請求項１】
イヌの治療処置用の医薬の調製における、抗体、融合タンパク質またはその結合性断片の使用であって、望ましくない免疫媒介性破壊が存在しない状態での標的の中和が望ましく、前記抗体、融合タンパク質または結合性断片が配列番号８、配列番号１１または配列番号１３のアミノ酸配列を含む重鎖定常ドメインを有し、重鎖のアミノ酸配列が、抗体、融合タンパク質または結合性断片がその標的抗原に結合するときに下流免疫系エフェクター機能の活性化を最小限にする、抗体、融合タンパク質または結合性断片の使用。
【請求項２】
イヌの治療処置がイヌにおける疼痛もしくは炎症の治療、抑制または改善に関連する、請求項１に記載の使用。
【請求項３】
疼痛が神経障害性疼痛、腫瘍痛、慢性関節リウマチに関連する、または起因する疼痛、変形性関節症に関連する、または起因する疼痛、炎症に関連する、または起因する疼痛および掻痒症に関連する、または起因する疼痛からなる群から選択される、請求項２に記載の使用。
【請求項４】
抗体が配列番号６のアミノ酸配列を含む重鎖定常ドメインを有する、請求項１〜３のいずれか１項に記載の使用。
【請求項５】
イヌの治療処置用の医薬の調製における、抗体、融合タンパク質またはその結合性断片の使用であって、標的の中和が望ましく、前記抗体、融合タンパク質または結合性断片が配列番号９、配列番号１０または配列番号１４のアミノ酸配列を含む重鎖定常ドメインを有し、重鎖のアミノ酸配列が、抗体、融合タンパク質または結合性断片がその標的抗原に結合するときに下流免疫系エフェクター機能の活性化を媒介する、抗体、融合タンパク質または結合性断片の使用。
【請求項６】
イヌの治療処置がイヌにおける癌性または悪性状態の治療に関連する、請求項５に記載の使用。
【請求項７】
下流免疫系エフェクター機能が補体依存性細胞障害、抗体依存性細胞媒介性細胞障害および抗体依存性細胞病原性からなる群から選択される、請求項６に記載の使用。
【請求項８】
供給源混合物からの抗体、融合タンパク質またはその結合性断片の精製の方法であって、
抗体、融合タンパク質または結合性断片は、配列番号８のアミノ酸配列を有するアイソタイプＡのイヌ重鎖定常ドメインもしくは配列番号１１のアミノ酸配列を有するアイソタイプＤのイヌ免疫グロブリン重鎖定常ドメインを含み、
（ｉ）標的の抗体、融合タンパク質またはその結合性断片を含む供給源混合物を陰イオン交換クロマトグラフィーにかけるステップと、
（ｉｉ）供給源混合物を疎水性相互作用クロマトグラフィーにかけるステップと、
（ｉｉｉ）供給源混合物をサイズ排除クロマトグラフィーにかけるステップと
を含む、方法。
【請求項９】
供給源混合物からの抗体、融合タンパク質またはその結合性断片の精製の方法であって、
抗体、融合タンパク質またはその結合性断片は、配列番号８のアミノ酸配列を有するアイソタイプＡのイヌ重鎖定常ドメインもしくは配列番号１１のアミノ酸配列を有するアイソタイプＤのイヌ免疫グロブリン重鎖定常ドメインを含み、
（ｉ）標的の抗体、融合タンパク質またはその結合性断片を含む供給源混合物をカプトアドヒアアフィニティークロマトグラフィーにかけるステップと、
（ｉｉ）供給源混合物を陰イオン交換クロマトグラフィーにかけるステップと
を含む、方法。
【請求項１０】
イヌの治療処置に用いる、抗体、融合タンパク質またはその結合性断片を含む医薬組成物であって、望ましくない免疫媒介性破壊が存在しない状態での標的の中和が望ましく、前記抗体、融合タンパク質または結合性断片が配列番号８、配列番号１１または配列番号１３のアミノ酸配列を含む重鎖定常ドメインを有し、重鎖のアミノ酸配列が、抗体、融合タンパク質または結合性断片がその標的抗原に結合するときに下流免疫系エフェクター機能の活性化を最小限にする、医薬組成物。
【請求項１１】
イヌの治療処置がイヌにおける疼痛もしくは炎症の治療、抑制または改善に関連する、請求項１０に記載の医薬組成物。
【請求項１２】
疼痛が神経障害性疼痛、腫瘍痛、慢性関節リウマチに関連する、または起因する疼痛、変形性関節症に関連する、または起因する疼痛、炎症に関連する、または起因する疼痛および掻痒症に関連する、または起因する疼痛からなる群から選択される、請求項１１に記載の医薬組成物。
【請求項１３】
抗体が配列番号６のアミノ酸配列を含む重鎖定常ドメインを有する、請求項１０〜１２のいずれか１項に記載の医薬組成物。
【請求項１４】
イヌの治療処置に用いる、抗体、融合タンパク質またはその結合性断片を含む医薬組成物であって、標的の中和が望ましく、前記抗体、融合タンパク質または結合性断片が配列番号９、配列番号１０または配列番号１４のアミノ酸配列を含む重鎖定常ドメインを有し、重鎖のアミノ酸配列が、抗体、融合タンパク質または結合性断片がその標的抗原に結合するときに下流免疫系エフェクター機能の活性化を媒介する、医薬組成物。
【請求項１５】
イヌの治療処置がイヌにおける癌性または悪性状態の治療に関連する、請求項１４に記載の医薬組成物。
【手続補正書】
【提出日】平成27年4月17日(2015.4.17)
【手続補正１】
【補正対象書類名】特許請求の範囲
【補正対象項目名】全文
【補正方法】変更
【補正の内容】
【特許請求の範囲】
【請求項１】
ｍｉＲ−１４５の阻害剤を含む、肺動脈高血圧（ＰＡＨ）の治療または予防を必要とする対象においてＰＡＨを治療または予防するための医薬組成物。
【請求項２】
ｍｉＲ−１４５の阻害剤が、成熟ｍｉＲ−１４５配列に少なくとも部分的に相補的な配列を含むアンチセンスオリゴヌクレオチドである、請求項１に記載の医薬組成物。
【請求項３】
前記アンチセンスオリゴヌクレオチドが、５’−ＧＵＣＣＡＧＵＵＵＵＣＣＣＡＧＧＡＡＵＣＣＣＵ−３’または５’−ＧＧＡＵＵＣＣＵＧＧＡＡＡＵＡＣＵＧＵＵＣＵ−３’の配列に少なくとも部分的に相補的な配列を含む、請求項２に記載の医薬組成物。
【請求項４】
前記アンチセンスオリゴヌクレオチドが少なくとも１つの糖修飾または骨格修飾を含む、請求項２または３に記載の医薬組成物。
【請求項５】
前記少なくとも１つの糖修飾または骨格修飾が２’−Ｏ−アルキル修飾、二環式糖ヌクレオシド修飾またはホスホロチオエートリンケージである、請求項４に記載の医薬組成物。
【請求項６】
前記二環式糖ヌクレオシド修飾がロックド核酸である、請求項５に記載の医薬組成物。
【請求項７】
前記アンチセンスオリゴヌクレオチドが約８〜約１８ヌクレオチド長または約１２〜約１６ヌクレオチド長である、請求項２〜６のいずれか１項に記載の医薬組成物。
【請求項８】
前記阻害剤が吸入投与経路のために製剤化される、請求項１〜７のいずれか１項に記載の医薬組成物。
【請求項９】
前記阻害剤が乾燥粉末剤または液体エアロゾル剤として製剤化される、請求項８に記載の医薬組成物。
【請求項１０】
前記対象がヒトである、請求項１〜９のいずれか１項に記載の医薬組成物。
【請求項１１】
前記ヒトが、骨形成タンパク質２型レセプターをコードする遺伝子に変異を有する、請求項１０に記載の医薬組成物。
【請求項１２】
前記阻害剤がインヘラーのために製剤化される、請求項１〜１１のいずれか１項に記載の医薬組成物。
【手続補正書】
【提出日】平成27年4月20日(2015.4.20)
【手続補正１】
【補正対象書類名】特許請求の範囲
【補正対象項目名】全文
【補正方法】変更
【補正の内容】
【特許請求の範囲】
【請求項１】
生物学的な植物保護のための液体調製物であって、活性微生物又は複数種の活性微生物の混合物又は微生物の器官とポリエーテル変性トリシロキサンを含む懸濁液で構成される、前記液体調製物。
【請求項２】
前記ポリエーテル変性トリシロキサンが「Ｂｒｅａｋ−Ｔｈｒｕ（登録商標）」であることを特徴とする、請求項１に記載の液体調製物。
【請求項３】
前記ポリエーテル変性トリシロキサンが「Ｂｒｅａｋ−Ｔｈｒｕ（登録商標）  Ｓ  ２４０」であることを特徴とする、請求項１又は２に記載の液体調製物。
【請求項４】
前記トリシロキサンが、
【表１】
2014516042.tif 000001
で改質されていることを特徴とする、請求項１〜３のいずれかに記載の液体調製物。
【請求項５】
前記活性微生物又は活性微生物の混合物又は活性微生物の器官が、特定の植物病害の原因となる生物に対して拮抗作用及び／又は二重寄生作用を有していることを特徴とする、請求項１〜４のいずれかに記載の液体調製物。
【請求項６】
前記活性微生物又は活性微生物の混合物又は活性微生物の器官が、植物において現れる抵抗性誘導作用及び／若しくはストレス耐性誘導作用又は養分利用能増大作用有していることを特徴とする、請求項１〜５のいずれかに記載の液体調製物。
【請求項７】
前記微生物学的活性物質が、１種類の菌又はさまざまな菌の混合物又は１種類／複数種類の菌の器官であることを特徴とする、請求項１〜６のいずれかに記載の液体調製物。
【請求項８】
菌種アムペロミセス・クイスクアリス（Ａｍｐｅｌｏｍｙｃｅｓ  ｑｕｉｓｑｕａｌｉｓ）、ベアウベリア・バシアナ（Ｂｅａｕｖｅｒｉａ  ｂａｓｓｉａｎａ）、ベアウベリア・ブロングニアルチイ（Ｂｅａｕｖｅｒｉａ  ｂｒｏｎｇｎｉａｒｔｉｉ）、クロノスタキス・ロセア（Ｃｌｏｎｏｓｔａｃｈｙｓ  ｒｏｓｅａ）、コニオチリウム・ミニタンス（Ｃｏｎｉｏｔｈｙｒｉｕｍ  ｍｉｎｉｔａｎｓ）、グリオクラジウム・カテヌラツム（Ｇｌｉｏｃｌａｄｉｕｍ  ｃａｔｅｎｕｌａｔｕｍ）、イサリア属種（Ｉｓａｒｉａ  ｓｐｐ．）、ラエチサリア・アルバリス（Ｌａｅｔｉｓａｒｉａ  ａｒｖａｌｉｓ）、レカニシリウム・レカニイ（Ｌｅｃａｎｉｃｉｌｌｉｕｍ  ｌｅｃａｎｉｉ）、レカニシリウム・ムスカリウム（Ｌｅｃａｎｉｃｉｌｌｉｕｍ  ｍｕｓｃａｒｉｕｍ）、メタリジウム・アニソプリアエ（Ｍｅｔａｒｈｉｚｉｕｍ  ａｎｉｓｏｐｌｉａｅ）、ノムラエア・リレイイ（Ｎｏｍｕｒａｅａ  ｒｉｌｅｙｉ）、パエシロミセス・リラシヌス（Ｐａｅｃｉｌｏｍｙｃｅｓ  ｌｉｌａｃｉｎｕｓ）、ホマ・マクロストマ（Ｐｈｏｍａ  ｍａｃｒｏｓｔｏｍａ）、ピシウム・オリガンドルム（Ｐｙｔｈｉｕｍ  ｏｌｉｇａｎｄｒｕｍ）、タラロミセス・フラブス（Ｔａｌａｒｏｍｙｃｅｓ  ｆｌａｖｕｓ）、テラトスペルマ・オリゴクラズム（Ｔｅｒａｔｏｓｐｅｒｍａ  ｏｌｉｇｏｃｌａｄｕｍ）、トリコデルマ属種（Ｔｒｉｃｈｏｄｅｒｍａ  ｓｐｐ．）及びベルチシリウム・ビグタツム（Ｖｅｒｔｉｃｉｌｌｉｕｍ  ｂｉｇｕｔｔａｔｕｍ）のうちの１種類の菌又は複数種の菌又は１種類以上の菌の器官を含んでいることを特徴とする、請求項７に記載の液体調製物。
【請求項９】
１種類／複数種類の菌の前記器官が、胞子、分生子、分芽胞子、厚膜胞子、菌核若しくは菌糸断片のいずれかであるか又はそれら器官の混合物であることを特徴とする、請求項７又は８に記載の液体調製物
【請求項１０】
前記微生物学的活性物質が、細菌又はさまざまな細菌の混合物であることを特徴とする、請求項１〜６のいずれかに記載の液体調製物。
【請求項１１】
前記微生物学的活性物質が、ウイルス又はさまざまなウイルスの混合物であることを特徴とする、請求項１〜６のいずれかに記載の液体調製物。
【請求項１２】
前記微生物学的活性物質が、請求項７、８、１０及び１１において挙げられている微生物の混合物であるか又はいずれの場合にも当該微生物のうちの２種類の混合物であることを特徴とする、請求項１〜６のいずれかに記載の液体調製物。
【請求項１３】
液体調製物を製造する方法であって、微生物を培養し、次いで、ポリエーテル変性トリシロキサンの中に懸濁させることを特徴とする、前記方法。
【請求項１４】
前記ポリエーテル変性トリシロキサンが「Ｂｒｅａｋ−Ｔｈｒｕ（登録商標）」であることを特徴とする、請求項１３に記載の方法。
【請求項１５】
前記ポリエーテル変性トリシロキサンが「Ｂｒｅａｋ−Ｔｈｒｕ（登録商標）  Ｓ  ２４０」であることを特徴とする、請求項１３又は１４に記載の方法。
【請求項１６】
菌類物質を粉砕法及び／又は分散法を用いて加工することを特徴とする、請求項１３〜１５のいずれかに記載の方法。
【請求項１７】
前記菌又は菌の特定の器官を、加工後、篩い分け法、濾過法、空気分級法又は遠心分離法を用いて分離することを特徴とする、請求項１６に記載の方法。
【請求項１８】
菌種
【表２】
2014516042.tif 000002
を使用することを特徴とする、請求項１３〜１７のいずれかに記載の方法。
【請求項１９】
土壌中に混入することによる、又は、植物に対して／植物の表面上に施用することによる、又は、種子処理による、請求項１〜１２のいずれかに記載されている液体調製物の使用。
【請求項２０】
前記液体調製物を水で希釈して、使用目的に応じた望ましい使用濃度とすることを特徴とする、請求項１９に記載の使用。
【手続補正書】
【提出日】平成27年5月21日(2015.5.21)
【手続補正１】
【補正対象書類名】特許請求の範囲
【補正対象項目名】全文
【補正方法】変更
【補正の内容】
【特許請求の範囲】
【請求項１】
持続期間増強部分に共有結合によって連結しているポリペプチド成分を含むポリペプチドコンジュゲートであって、
ポリペプチド成分が、式（Ｉ）の残基１〜３７のアミノ酸配列：
X'-Xaa1-Cys2-Asn3-Thr4-Ala5-Thr6-Cys7-Ala8-Thr9-Gln10-Arg11-Leu12-Ala13-Asn14-Phe15-Leu16-Val17-Xaa18-Ser19-Ser20-Xaa21-Asn22-Phe23-Xaa24-Xaa25-Xaa26-Xaa27-Xaa28-Xaa29-Thr30-Xaa31-Val32-Gly33-Xaa34-Xaa35-Thr36-Tyr37-X(配列番号4)      (I)
を含み、
ここで、式（Ｉ）に示されるアミノ酸の最大２５％が欠失されていてもよく、または異なるアミノ酸で置換されていてもよく、
Ｘ’は、水素、Ｎ末端キャップ基、持続期間増強部分との結合または持続期間増強部分とのリンカーであり、
Ｘａａ１は、Ｌｙｓまたは結合であり、
Ｘａａ１８は、Ｌｙｓ、ＣｙｓまたはＨｉｓであり、
Ｘａａ２１は、Ｌｙｓ、ＣｙｓまたはＡｓｎであり、
Ｘａａ２４は、Ｌｙｓ、ＣｙｓまたはＧｌｙであり、
Ｘａａ２５は、Ｌｙｓ、ＣｙｓまたはＰｒｏであり、
Ｘａａ２６は、Ｌｙｓ、ＣｙｓまたはＩｌｅであり、
Ｘａａ２７は、Ｌｙｓ、ＣｙｓまたはＬｅｕであり、
Ｘａａ２８は、Ｌｙｓ、ＣｙｓまたはＰｒｏであり、
Ｘａａ２９は、Ｌｙｓ、ＣｙｓまたはＰｒｏであり、
Ｘａａ３１は、Ｌｙｓ、ＣｙｓまたはＡｓｎであり、
Ｘａａ３４は、Ｌｙｓ、ＣｙｓまたはＳｅｒであり、
Ｘａａ３５は、Ｌｙｓ、ＣｙｓまたはＡｓｎであり、
Ｘは、置換もしくは非置換アミノ、置換もしくは非置換アルキルアミノ、置換もしくは非置換ジアルキルアミノ、置換もしくは非置換シクロアルキルアミノ、置換もしくは非置換アリールアミノ、置換もしくは非置換アラルキルアミノ、置換もしくは非置換アルキルオキシ、置換もしくは非置換アリールオキシ、置換もしくは非置換アラルキルオキシ、ヒドロキシル、持続期間増強部分との結合または持続期間増強部分とのリンカーであり、
持続期間増強部分が、連結アミノ酸残基、Ｘ’またはＸの側鎖と、適宜、リンカーを介して、共有結合によって連結される、ポリペプチドコンジュゲート。
【請求項２】
持続期間増強部分が、ポリエチレングリコールまたはその誘導体である、請求項１に記載のポリペプチドコンジュゲート。
【請求項３】
連結アミノ酸残基が、システインまたはリシンである、請求項１から２のいずれかに記載のポリペプチドコンジュゲート。
【請求項４】
ポリエチレングリコールが、直鎖、分岐またはコーム(comb)型である、請求項１から３のいずれかに記載のポリペプチドコンジュゲート。
【請求項５】
１つの持続期間増強部分を含む、請求項１から４のいずれかに記載のポリペプチドコンジュゲート。
【請求項６】
持続期間増強部分が、ポリペプチドのＮ末端アミノ酸残基と結合している、請求項１から５のいずれかに記載のポリペプチドコンジュゲート。
【請求項７】
持続期間増強部分が、ポリペプチドのＣ末端アミノ酸残基と結合している、請求項１から５のいずれかに記載のポリペプチドコンジュゲート。
【請求項８】
持続期間増強部分が、１１、１８、２４〜２９、３１、３４または３５位でアミノ酸の側鎖と結合している、請求項１から５のいずれかに記載のポリペプチドコンジュゲート。
【請求項９】
請求項１から８のいずれか一項に記載のポリペプチドコンジュゲートと、医薬上許容される賦形剤とを含む医薬組成物。
【請求項１０】
対象において疾患または障害を治療するための、請求項９に記載の医薬組成物。
【請求項１１】
疾患または障害が、摂食障害、インスリン抵抗性、肥満症、過体重、異常な食後高血糖、Ｉ型糖尿病、ＩＩ型糖尿病、妊娠糖尿病、メタボリックシンドローム、ダンピング症候群、高血圧症、脂質異常症、心血管疾患、高脂血症、睡眠時無呼吸、癌、肺高血圧症、胆嚢炎、変形性関節症または短腸症候群である、請求項１０に記載の医薬組成物。
【手続補正書】
【提出日】平成27年3月2日(2015.3.2)
【手続補正１】
【補正対象書類名】特許請求の範囲
【補正対象項目名】全文
【補正方法】変更
【補正の内容】
【特許請求の範囲】
【請求項１】
式(I)
【化１】
2014516339.tif 000001
[式中、
R1は、O(CH2CH2O)nCH2CH2X1、O(CH2CH2CH2O)nCH2CH2X1、NHCH2CH2X2、NH(CH2CH2O)mCH2CH2X2、NH(CH2CH2CH2O)mCH2CH2X2、NH(CH2CH2O)pCH2CH2X3、NH(CH2CH2CH2O)pCH2CH2X3、NHCH2CH2X4、NH[CH2(CH2)aO]bCH{CH2[OCH2(CH2)c]dX5}2、O[CH2(CH2)aO]bCH{CH2[OCH2(CH2)c]dX5}2、NH(CH2CH2NH)rCH2CH2X5、NHCH2(CH2)qX6、又はOCH2(CH2)qX6;であり、
RTは、n-ペンチル、sec-ペンチル又はイソペンチルであり、
X1は、NH2、NHRA1、NRA1RA2、NRA1RA2RA3又はNHCH2(CH2)vZ1であり、
X2は、OH、ORB1又はOCH2(CH2)vZ1であり、
X3は、NH2、NHRC1、NRC1RC2又はNRC1RC2RC3又はNHCH2(CH2)vZ1であり、
X4は、NRD1RD2RD3又はNHCH2(CH2)vZ1であり、
各X5は独立して、OH、ORE1、NH2、NHRE1、NRE1RE2、NRE1RE2RE3、OCH2(CH2)vZ1及びNHCH2(CH2)vZ1から選択され、
X6は、NRF1RF2RF3又はZ1から選択され、
aは、1〜2の整数であり、
bは、0〜3の整数であり、
cは、1〜2の整数であり、
dは、0〜3の整数であり、
nは、1〜5の整数であり、
mは、1〜5の整数であり、
pは、1〜5の整数であり、
rは、1〜5の整数であり、
qは、1〜3の整数であり、
vは、1〜3の整数であり、
RA1、RA2、RA3、RB1、RC1、RC2、RC3、RD1、RD2、RD3、RE1、RE2、RE3、RF1、RF2及びRF3のそれぞれは、独立して、CH3、CH2CH3、CH2CH2CH3及びCH(CH3)2から選択され、
Z1は、
【化２】
2014516339.tif 000002
から選択され、
R1A、R2A、R3A、R4A、R5A、R6A、R7A、R8A、R9A、R10A、R11A、R12A、R13A、R14A、R15A、R16A、R17A、R18A、R19A、R20A、R21A及びR22Aのそれぞれは、独立して、H、CH3、CH2CH3、CH2CH2CH3及びCH(CH3)2から選択される]、
によって記載される化合物、又はその医薬として許容される塩。
【手続補正書】
【提出日】平成26年12月15日(2014.12.15)
【手続補正１】
【補正対象書類名】特許請求の範囲
【補正対象項目名】全文
【補正方法】変更
【補正の内容】
【特許請求の範囲】
【請求項１】
以下の活性成分から成る皮膚用化粧料。
a）アロマターゼ阻害剤及び/又は5-α-還元酵素阻害剤、
b）酸化防止剤、及び
c）ヒアルロン酸
【請求項２】
前記アロマターゼ阻害剤が、4-ヒドロキシアンドロステンジオン、エキセメスタン、4-アセトキシアンドロステンジオン、5-α-アンドロスト-3-エン-17-オン、及び3-α,4-α-エポキシ-5-α-アンドロスタン-17-オンから成る群から選択される請求項１に記載の化粧料。
【請求項３】
前記アロマターゼ阻害剤が、平均阻害濃度IC（50）が0.2nM〜500nMの範囲内であることによって特徴付けられる請求項１又は２に記載の化粧料。
【請求項４】
前記酸化防止剤が、フラボノイド、ビタミン、カロチノイド、ミネラル、ホルモン、ステロイド、ユビキノン、N-アセチルシステイン、α-リポ酸、ポリフェノールを含有する緑茶の抽出物、グルタチオン、グルタチオンペルオキシダーゼ、スーパーオキシドジスムターゼ、及びカタラーゼから成る群から選択される請求項１〜３のいずれか一項に記載の化粧料。
【請求項５】
前記5-α-還元酵素阻害剤が、タイプI及び/又はタープII型の5-α-還元酵素の活性を阻害する請求項１〜４のいずれか一項に記載の化粧料。
【請求項６】
前記5-α-還元酵素阻害剤が、平均阻害濃度IC（50）が5nM〜500nMの範囲内であることによって特徴付けられる請求項１〜５のいずれか一項に記載の化粧料。
【請求項７】
前記5-α-還元酵素阻害剤が、ノコギリヤシの果実(Serenoa repens, syn. Sabal serrulata)の抽出物、イラクサの根(Urtica dioica)、アフリカ梅(Pygeum africanium)の樹皮抽出物、カボチャの種(Cucurbita pepo seed)の抽出物及びフィナステリドから成る群から選択される請求項１〜６のいずれか一項に記載の化粧料。
【請求項８】
(i)4-ヒドロキシアンドロステンジオン、(ii)ノコギリヤシの抽出物、(iii)α-リポ酸又はポリフェノールを含有する緑茶の抽出物、及び(iv)ヒアルロン酸から成る請求項１に記載の化粧料。
【請求項９】
セルライト、ストレッチマーク、老化の兆候、しわ、及びクモ状静脈における化粧目的のために使用される請求項１〜８のいずれか一項に記載の化粧料。
【請求項１０】
請求項１〜９のいずれか一項に記載の化粧料を人間の皮膚に塗布することから成る化粧方法。
【手続補正２】
【補正対象書類名】明細書
【補正対象項目名】発明の名称
【補正方法】変更
【補正の内容】
【発明の名称】皮膚用化粧料
【手続補正書】
【提出日】平成27年1月10日(2015.1.10)
【手続補正１】
【補正対象書類名】明細書
【補正対象項目名】０００７
【補正方法】変更
【補正の内容】
【０００７】
余分な水を除去することによるトリチウム水の富化およびトリチウム水の濃縮により、非常に低いレベルの汚染物質を浄化設備に輸送する費用を大幅に削減することができる。輸送コストのために、トリチウム水として低濃度のトリチウムから出発する場合、利用可能なプロセスは商業的に魅力的ではない。トリチウム水は水によく類似した物理的および化学的特徴を有するため、通常の化学的または熱力学的測定の妨げになるという事実に起因して、トリチウム水の濃縮について実証された低費用プロセスは存在しない。これらの密接な類似性のために、以前は水からトリチウム水を効率的に分離するプロセスを定義することが困難であった。したがって、本開示は、より経済的な廃棄を可能にするために、トリチウム水の分離および濃縮を含む、アイソトポローグの分離のための改良された方法、デバイス、およびシステムを提供する。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許出願公開第２００５／０２７９１２９号明細書
（特許文献２）  米国特許第６，９８４，３２７号明細書
（特許文献３）  米国特許第５，８７６，５９６号明細書
（特許文献４）  米国特許第４，７０５，６３５号明細書
【手続補正書】
【提出日】平成27年5月12日(2015.5.12)
【手続補正１】
【補正対象書類名】特許請求の範囲
【補正対象項目名】全文
【補正方法】変更
【補正の内容】
【特許請求の範囲】
【請求項１】
少なくとも１つのレーザー（８）を用いて粉末（Ｐ）または粉末混合物を固形化することによって物体（１）を製造する方法であって、
少なくとも、
ａ）延展部材（５）を用いて作業領域（Ｚ）上に粉末（Ｐ）または粉末混合物の層（６）を溶着させるステップと、
ｂ）圧縮部材（５）を用いて、前記層（６）を圧縮するステップと、
ｃ）ステップｂ）において圧縮された前記層の第１領域（７）を、レーザー（８）を用いて固形化するステップであって、前記領域が、完成した前記物体（１）を構成する壁（２）の１区画に対応する、ステップと、
ｄ）固形化した第２領域（１１、１２）が固形化した前記第１領域（７）の機械的強度よりも小さい機械的強度を持つようにされた固形化条件で、ステップｂ）において圧縮された前記層（６）の少なくとも１つの第２領域（１１、１２）を固形化するステップであって、前記第２領域（１１、１２）が固形化した前記第１領域（７）と当接する、ステップと、
ｅ）前記物体（１）が得られるまでステップａ）〜ｄ）を繰り返すステップと、
ｆ）ステップｅ）の後、前記物体（１）が完成したときに、固形化した前記第１領域（７）から固形化した前記第２領域（１１、１２）を取り除くステップと、
から成るステップを含む、
方法。
【請求項２】
前記粉末（Ｐ）または粉末混合物が金属または鉱物であることを特徴とする、
請求項１に記載の方法。
【請求項３】
ステップｄ）がステップｃ）後に行われることを特徴とする、
請求項１または２に記載の方法。
【請求項４】
ステップｄ）の際に、前記第２領域（１１、１２）を固形化するために供給される熱エネルギーは、前記第１領域（７）を固形化するために供給される熱エネルギーよりも低いことを特徴とする、
請求項１〜３のいずれか１項に記載の方法。
【請求項５】
ステップｄ）の際に、前記レーザー（８）が、前記ステップｃ）の際の前記レーザーの使用出力よりも低い出力で使用されることを特徴とする、
請求項４に記載の方法。
【請求項６】
ステップｄ）の際に、前記レーザー（８）が、ステップｃ）の際の前記レーザーの使用走査速度よりも高い走査速度で使用されることを特徴とする、
請求項４または５に記載の方法。
【請求項７】
ステップｄ）が、ステップｃ）において使用される前記レーザー（８）とは異なるレーザーを用いて、ステップｃ）と同時に行われることを特徴とする、
請求項１または２に記載の方法。
【請求項８】
前記層（６）が前記層全体において均質の粉末または粉末混合物から成ることを特徴とする、
請求項１〜７のいずれか１項に記載の方法。
【請求項９】
前記第２領域（１１、１２）が、前記第１領域（７）を形成する粉末（Ｐ）または粉末混合物とは異なるタイプの粉末（Ｐ）または粉末混合物から形成されることを特徴とする、
請求項１〜７のいずれか１項に記載の方法。
【請求項１０】
ステップｃ）及びｄ）の際に、前記レーザー（８）が、前記第１領域（７）及び第２領域（１１、１２）を固形化するために単一の波長で使用されることを特徴とする、
請求項１〜９のいずれか１項に記載の方法。
【請求項１１】
さらに、ステップｂ）において圧縮された前記層の第３領域（１３）を固形化することから成るステップｇ）を含み、
前記第３領域（１３）が、前記第３領域の機械的強度を前記第１領域（７）の機械的強度と前記第２領域（１１、１２）の機械的強度との中間にするようにされた固形化条件で固形化され、
ステップｇ）はステップｃ）の後に行われるものであり、
ステップｅ）の際に、ステップｇ）も繰り返され、かつステップｆ）の際に、前記第３領域（１３）も取り除かれることを特徴とする、
請求項１〜１０のいずれか１項に記載の方法。
【請求項１２】
ステップｇ）の際に、前記レーザー（８）によって供給される熱エネルギーを用いて、前記第１領域（７）を固形化するために供給される熱エネルギーよりも小さくかつ前記第２領域（１１、１２）を固形化するために供給される熱エネルギーよりも大きい中間の熱エネルギーが、前記第３領域（１３）に供給されることを特徴とする、
請求項１１に記載の方法。
【請求項１３】
ステップｇ）が、ステップｃ）において使用される前記レーザー（８）とは異なるレーザーを用いて、ステップｃ）と同時に行われることを特徴とする、
請求項１１に記載の方法。
【請求項１４】
前記第３領域（１３）が、前記第１領域（７）を形成する前記粉末（Ｐ）または粉末混合物とは異なる粉末（Ｐ）または粉末混合物から形成されることを特徴とする、
請求項１１〜１３のいずれか１項に記載の方法。
【請求項１５】
ステップｆ）の際に、前記第２領域（１１、１２）及び適用可能な場合には前記第３領域（１３）が、マイクロサンダー仕上げ、マイクロビーズ噴射加工、ブラッシングまたはウォータジェットによって前記第１領域（７）から取り除かれることを特徴とする、
請求項１〜１４のいずれか１項に記載の方法。
【手続補正書】
【提出日】平成27年4月13日(2015.4.13)
【手続補正１】
【補正対象書類名】特許請求の範囲
【補正対象項目名】全文
【補正方法】変更
【補正の内容】
【特許請求の範囲】
【請求項１】
エチレンをエチレンオキシドに酸化するための触媒の製造方法であって、
ａ）温度Ｔ０でアルミナ含有担体に銀含有化合物を含む水溶液を含浸させて、含浸担体を与える工程と、
ｂ）ここの含浸担体を、少なくとも３０Ｋ／ｍｉｎの加熱速度で温度Ｔ０から温度Ｔ１まで加熱する工程と、
を含む製造方法。
【請求項２】
上記加熱速度が、３０〜８０Ｋ／ｍｉｎの範囲である請求項１に記載の製造方法。
【請求項３】
温度Ｔ０が、５℃〜２０℃の範囲である請求項１に記載の製造方法。
【請求項４】
温度Ｔ１が、２５０℃〜２９５℃の範囲である請求項１〜３のいずれか一項に記載の製造方法。
【請求項５】
工程ｂ）の加熱が、上記担体を不活性ガスＩ１に接触することで行われる請求項１〜４のいずれか一項に記載の製造方法。
【請求項６】
不活性ガスＩ１の温度がＴ１〜１．１×Ｔ１の範囲である請求項５に記載の製造方法。
【請求項７】
さらに、ｃ）上記の温度Ｔ１に維持された担体を、温度Ｔ２に維持する工程を含む請求項１〜６のいずれか一項に記載の製造方法。
【請求項８】
工程ｃ）で上記担体が不活性ガスＩ２により温度Ｔ２に維持される請求項７に記載の方法。
【請求項９】
工程ｃ）で上記担体が温度Ｔ２に１〜１５分間維持される請求項７または８に記載の製造方法。
【請求項１０】
さらに、ｄ）温度Ｔ２に維持された担体を、６０℃以下の温度Ｔ３に冷却する工程を含む請求項１〜９のいずれか一項に記載の製造方法。
【請求項１１】
工程ｄ）の冷却が、少なくとも５体積％の酸素を含む雰囲気中で行われる請求項１０に記載の製造方法。
【請求項１２】
上記アルミナ含有担体が、さらにレニウムまたはレニウム含有化合物で含浸されている請求項１〜１１のいずれか一項に記載の製造方法。
【請求項１３】
工程ａ）で用いる銀含有化合物を含む水溶液がさらに、レニウム含有化合物を含む請求項１２に記載の製造方法。
【請求項１４】
工程ａ）で提供されるアルミナ含有担体が円筒形形状を持つ請求項１〜１３のいずれか一項に記載の製造方法。
【請求項１５】
請求項１〜１４のいずれか一項に記載の製造方法で得られるか得られたエチレンをエチレンオキシドに酸化するための触媒。
【請求項１６】
請求項１５に記載の触媒の存在下で固定床反応器中で、分子状酸素を用いるエチレンの気相酸化によりエチレンオキシドを製造する方法。
【手続補正書】
【提出日】平成27年4月1日(2015.4.1)
【手続補正１】
【補正対象書類名】明細書
【補正対象項目名】００９１
【補正方法】変更
【補正の内容】
【００９１】
図３は、ハイブリッドベローズ１０４の折り目の領域２０８におけるリング２０４の位置付けの様々な実施例を示す。